(57)【要約】【課題】シリンダの管路内において吸引物が通る通路の径を広くするとともに、プランジャとシリンダの管路との摺動抵抗を抑える。【解決手段】弁ガイド部材（シリンダ）２４に、直管管路４１と、第１錐形管路４７を有する弁受け部４２とを設ける。プランジャ２５を、直管管路４１よりも細径の本体軸部５１、本体軸部５１の先端部に設けられた第１錐形弁部５２と、本体軸部５１の後端部に設けられた第２錐形弁部５３とで構成する。プランジャ２５の頭部５４が押圧操作されていないときは、第２錐形弁部５３を第１錐形管路４７の内壁に当接させて、吸引通路１７と負圧源通路２１との連通を遮断する。逆に頭部５４が押圧操作されたときは、第１錐形弁部５２をシリンダ開口３５に当接させるとともに、第２錐形弁部５３と第１錐形管路４７との当接を解除させることにより吸引通路１７と負圧源通路２１とを連通させる。【選択図】図２
2012075473.tif 000002
【特許請求の範囲】
【請求項１】
内視鏡の操作部に設けられるとともに、内視鏡挿入部の先端に開口した吸引口に通じる吸引通路と、負圧源に接続した負圧源通路とが接続されており、前記負圧源通路と前記吸引通路との連通／遮断を切り替える内視鏡の吸引ボタンにおいて、
前記操作部に設けられたシリンダであって、その一端がシリンダ開口で開放され、その他端が前記吸引通路に接続されているとともに、シリンダ管路の一部に含まれ、シリンダ他端側からシリンダ一端側に向かうに従い次第に径が狭くなる錐形管路と、前記シリンダ管路内でかつ前記錐形管路から前記シリンダ一端までの間で開口し、前記負圧源通路に通じる接続口とを有するシリンダと、
前記シリンダ管路に移動自在に収容され、前記シリンダ開口から突出した軸先端部を有する本体軸部と、前記軸先端部に設けられ、前記シリンダ開口から遠ざかるのに従い次第に拡径する略錐形状を有しており、最大径が前記シリンダ開口の径よりも大きい第１弁部と、前記本体軸部の軸後端部に設けられ、前記錐形管路の内壁に沿う略錐形状の第２弁部とを有するプランジャとを備え、
前記プランジャは、前記軸先端部が押圧操作されていないときに、前記第１弁部が前記シリンダ開口から離れるとともに、前記第２弁部が前記錐形管路の内壁に当接して前記負圧源通路と前記吸引通路との連通を遮断する遮断状態になり、押圧操作により前記軸先端部が前記シリンダ開口内に押し込まれたときに、前記第１弁部が前記シリンダ開口に当接するとともに、前記第２弁部が前記錐形管路の内壁から離れて前記負圧源通路と前記吸引通路とを連通する連通状態になることを特徴とする内視鏡の吸引ボタン。
【請求項２】
前記錐形管路は、前記シリンダ管路の前記シリンダ他端側の端部に設けられていることを特徴とする請求項１記載の内視鏡の吸引ボタン。
【請求項３】
前記プランジャを前記遮断状態で維持する付勢手段を備え、
前記遮断状態の前記プランジャの前記軸先端部を、前記付勢手段に抗して前記シリンダ開口に押し込むことにより、当該プランジャが前記連通状態に切り替わることを特徴とする請求項１または２記載の内視鏡の吸引ボタン。
【請求項４】
前記付勢手段は、前記軸先端部と前記シリンダ一端とにそれぞれ連結され、前記軸先端部の外周を囲む弾性材料からなるキャップであることを特徴とする請求項１ないし３いずれか１項記載の内視鏡の吸引ボタン。
【請求項５】
前記キャップには大気と連通する通気穴が形成されており、
前記負圧源通路は、前記プランジャが前記遮断状態であるときに、前記接続口、前記シリンダ管路、前記シリンダ開口、及び前記通気穴を介して大気と連通することを特徴とする請求項４記載の内視鏡の吸引ボタン。
【請求項６】
前記プランジャが前記連通状態に切り替えられたときに、前記シリンダ開口が前記第１弁部により塞がれることで、前記負圧源通路と大気との連通が遮断されることを特徴とする請求項５記載の内視鏡の吸引ボタン。
【請求項７】
前記負圧源通路は、前記シリンダ管路に対し直交して接続されることを特徴とする請求項１ないし６いずれか１項記載の内視鏡の吸引ボタン。
【請求項８】
前記負圧源は吸引ポンプであることを特徴とする請求項１ないし７いずれか１項記載の吸引ボタン。
【発明の詳細な説明】
【技術分野】
【０００１】
本発明は、内視鏡挿入部の先端に開口した吸引口からの体液等の吸引を制御する内視鏡の吸引ボタンに関する。
【背景技術】
【０００２】
一般に内視鏡の挿入部内には、その先端面の吸引口に通じる吸引通路が設けられている。この吸引通路は操作部に設けられた吸引ボタンに接続している。このような吸引通路としては、鉗子等の処置具の挿通や洗浄水などの噴射に使用される鉗子チャネルがよく利用されており、この鉗子チャネルの途中から分岐した吸引通路が吸引ボタンに接続している。
【０００３】
吸引ボタンには、吸引通路の他に、吸引ポンプ等の負圧源に通じる負圧源通路が接続している。吸引ボタンは、術者の押圧操作により吸引通路と負圧源通路とを連通して吸引口から吸引を行わせ、この押圧操作が解除されたときに吸引通路と負圧源通路との連通を遮断して吸引口からの吸引を停止させる（特許文献１ないし３参照）。
【０００４】
このような吸引ボタンには、図９（Ａ），（Ｂ）に示すように、内視鏡の操作部に設けられ、先端が操作部外で開口し後端が吸引通路１０９に接続したシリンダ１１０と、シリンダ１１０の管路１１１に移動自在に収容されたプランジャ１１２と、プランジャ１１２の先端とシリンダ１１０の先端とを連結し、プランジャ１１２を図中上方向に付勢するキャップ１１３とで構成されるものが良く知られている。
【０００５】
管路１１１内には、負圧源通路１１４に連通する接続口１１５と、弁受け部１１６とが設けられている。プランジャ１１２は、管路１１１のシリンダ開口１１１ａから突出した軸先端部１１７ａを有する本体軸部１１７と、本体軸部１１７の外周面にその軸方向に沿って形成された連通路１１８、及び本体軸部１１７の軸後端部に設けられた弁部１１９を備える。キャップ１１３には、大気と連通する通気穴１２０が設けられている。
【０００６】
上記構成の吸引ボタンでは、図９（Ａ）に示すように軸先端部１１７ａが押圧操作されていない場合、弁部１１９が弁受け部１１６に当接することで吸引通路１０９と負圧源通路１１４との連通が遮断される。このとき接続口１１５は、連通路１１８及び通気穴１２０などを介して大気と連通する。これは吸引ポンプが常時作動しているので、負圧源通路１１４が大気と連通しないと、吸引ポンプのポンプ圧が増加しこれに伴い吸引ポンプに掛かる負荷が増加するためである。
【０００７】
一方、図９（Ｂ）に示すように、押圧操作により軸先端部１１７ａがシリンダ開口１１１ａ内に所定量だけ押し込まれると、弁部１１９が弁受け部１１６から離れることにより、吸引通路１０９と負圧源通路１１４とが連通する。また、これと同時に、軸先端部１１７ａに装着されたＯリング１２１がシリンダ開口１１１ａに圧着されて負圧源通路１１４と大気との連通が遮断される。これにより、吸引ポンプの吸引によって負圧源通路１１４、管路１１１、及び吸引通路１０９内の負圧吸引力が増加して、吸引口からの吸引が開始される。この場合、吸引口から吸引された各種の体液や固形物は吸引通路１０９から、プランジャ１１２の外周と管路１１１の内壁との隙間、及び連通路１１８を通って負圧源通路１１４に流入する。
【先行技術文献】
【特許文献】
【０００８】
【特許文献１】特開２００７−１８５２７６号公報
【特許文献２】特開昭６２−１８９０４１号公報
【特許文献３】特開平５−１６１５９９号公報
【発明の概要】
【発明が解決しようとする課題】
【０００９】
上記構成の吸引ボタンでは、プランジャ１１２を管路１１１の中心に調芯させるため、管路１１１の少なくとも一部の径が本体軸部１１７の径よりも僅かに大きくなるように形成されている。このため、プランジャ１１２が管路１１１内で移動するときに本体軸部１１７が管路１１１の内壁と摺動する。そのため、この摺動抵抗により、例えばプランジャ１１２に対する押圧操作が解除されたときにキャップ１１３の付勢力だけではプランジャ１１２が元の位置に戻らないといった、プランジャ１１２の作動不良が発生するおそれがある。
【００１０】
上記構成の吸引ボタンでは、プランジャ１１２の外周と管路１１１の内壁との隙間や連通路１１８は狭いため、大きい固形物が管路１１１を通過することができずに詰まってしまうおそれがある。
【００１１】
本発明は上記課題を解決するためになされたものであり、吸引口から吸引された体液や固形物等が通る通路の径を大きくするとともに、プランジャとシリンダとの摺動抵抗の発生を抑えることができる内視鏡の吸引ボタンを提供することを目的とする。
【課題を解決するための手段】
【００１２】
上記目的を達成するため、本発明は、内視鏡の操作部に設けられるとともに、内視鏡挿入部の先端に開口した吸引口に通じる吸引通路と、負圧源に接続した負圧源通路とが接続されており、前記負圧源通路と前記吸引通路との連通／遮断を切り替える内視鏡の吸引ボタンにおいて、前記操作部に設けられたシリンダであって、その一端がシリンダ開口で開放され、その他端が前記吸引通路に接続されているとともに、シリンダ管路の一部に含まれ、シリンダ他端側からシリンダ一端側に向かうに従い次第に径が狭くなる錐形管路と、前記シリンダ管路内でかつ前記錐形管路から前記シリンダ一端までの間で開口し、前記負圧源通路に通じる接続口とを有するシリンダと、前記シリンダ管路に移動自在に収容され、前記シリンダ開口から突出した軸先端部を有する本体軸部と、前記軸先端部に設けられ、前記シリンダ開口から遠ざかるのに従い次第に拡径する略錐形状を有しており、最大径が前記シリンダ開口の径よりも大きい第１弁部と、前記本体軸部の軸後端部に設けられ、前記錐形管路の内壁に沿う略錐形状の第２弁部とを有するプランジャとを備え、前記プランジャは、前記軸先端部が押圧操作されていないときに、前記第１弁部が前記シリンダ開口から離れるとともに、前記第２弁部が前記錐形管路の内壁に当接して前記負圧源通路と前記吸引通路との連通を遮断する遮断状態になり、押圧操作により前記軸先端部が前記シリンダ開口内に押し込まれたときに、前記第１弁部が前記シリンダ開口に当接するとともに、前記第２弁部が前記錐形管路の内壁から離れて前記負圧源通路と前記吸引通路とを連通する連通状態になることを特徴とする。
【００１３】
前記錐形管路は、前記シリンダ管路の前記シリンダ他端側の端部に設けられていることが好ましい。また、前記プランジャを前記遮断状態で維持する付勢手段を備え、前記遮断状態の前記プランジャの前記軸先端部を、前記付勢手段に抗して前記シリンダ開口に押し込むことにより、当該プランジャが前記連通状態に切り替わることが好ましい。
【００１４】
前記付勢手段は、前記軸先端部と前記シリンダ一端とにそれぞれ連結され、前記軸先端部の外周を囲む弾性材料からなるキャップであることが好ましい。また、前記キャップには大気と連通する通気穴が形成されており、前記負圧源通路は、前記プランジャが前記遮断状態であるときに、前記接続口、前記シリンダ管路、前記シリンダ開口、及び前記通気穴を介して大気と連通することが好ましい。
【００１５】
前記プランジャが前記連通状態に切り替えられたときに、前記シリンダ開口が前記第１弁部により塞がれることで、前記負圧源通路と大気との連通が遮断されることが好ましい。また、前記負圧源通路は、前記シリンダ管路に対し直交して接続されることが好ましい。前記負圧源は吸引ポンプであることが好ましい。
【発明の効果】
【００１６】
本発明の内視鏡の吸引ボタンは、シリンダ管路よりも細径の軸本体部と、この軸本体部の両端部にそれぞれ設けられた略錐形状の第１及び第２弁部とを有するプランジャを備え、非押圧操作時には第２弁部をシリンダ管路に設けた弁受け部に当接させて吸引通路と負圧源通路との連通を遮断し、押圧操作時には第１弁部をシリンダ開口に当接させるとともに、第２弁部と弁受け部との当接を解除させることにより吸引通路と負圧源通路とを連通させるので、プランジャが移動する際にシリンダ内壁と摺動することが防止される。これにより、両者の摺動抵抗の発生を抑えることができる。
【００１７】
また、本体軸部の径を、例えばシリンダ管路の内径の１／３以下にするなど十分に小さくすることができるので、シリンダ管路内で吸引物の通る通路の径が大きくすることができ、大きい吸引物がシリンダ管路内で詰まることが防止される。
【図面の簡単な説明】
【００１８】
【図１】内視鏡の吸引機構の概略図である。
【図２】吸引ＯＦＦ時の吸引ボタンの断面図である。
【図３】吸引ＯＮ時の吸引ボタンの断面図である。
【図４】弁ガイド部材の断面図である。
【図５】（Ａ）、（Ｂ）ともにプランジャの斜視図である。
【図６】（Ａ）は吸引ＯＦＦ時のキャップの斜視図、（Ｂ）は吸引ＯＮ時のキャップの斜視図である。
【図７】吸引ＯＦＦ時の吸引ボタンの断面を拡大した拡大図である。
【図８】吸引ＯＮ時の吸引ボタンの断面を拡大した拡大図である。
【図９】従来の吸引ボタンの断面図であり、（Ａ）が吸引ＯＦＦ時、（Ｂ）が吸引ＯＮ時を示している。
【発明を実施するための形態】
【００１９】
図１に示すように、内視鏡１０は、例えば気管に挿入する気管支鏡であり、気管内に挿入される挿入部１１と、挿入部１１の後端部分に連設された操作部１２と、図示しないプロセッサ装置や光源装置などに接続されるユニバーサルコード１３とを備えている。
【００２０】
挿入部１１には、鉗子等の処置具を挿入するための鉗子チャネル１４が設けられている。この鉗子チャネル１４の一端は、挿入部１１の先端面に設けられた吸引／鉗子口（以下、単に吸引口という）１５に接続し、他端は操作部１２に設けられた鉗子入口１６に接続している。この鉗子入口１６は、処置具を挿入するとき以外は鉗子栓（図示せず）により閉塞されている。なお、鉗子入口１６にシリンジ（図示せず）を接続し、このシリンジから生理食塩水等の洗浄水を注入した場合には、この洗浄水は鉗子チャネル１４を通って吸引口１５から噴出する。
【００２１】
また、挿入部の先端には、吸引口１５の他に、観察窓や照明窓（図示せず）が設けられている。観察窓の奥には固体撮像素子（図示せず）などが取り付けられている。照明窓の奥には光ファイバケーブル（図示せず）が配置されている。固体撮像素子の信号線や光ファイバケーブルは、挿入部１１やユニーバルコード１３などを経て、上述のプロセッサ装置、光源装置にそれぞれ接続される。
【００２２】
鉗子チャネル１４は、吸引口１５から血液等の体液や体内汚物等の固形物などを吸引するための経路として用いられる。操作部１２内には、鉗子チャネル１４から分岐した吸引通路１７が設けられている。この吸引通路１７は、操作部１２に設けられた吸引ボタン１８に接続している。
【００２３】
吸引ボタン１８は、吸引通路１７の他に操作部１２外において、吸引ポンプ（負圧源）２０に通じる負圧源通路２１に接続している。吸引ボタン１８は、押圧操作またはその押圧操作の解除により、吸引通路１７と負圧源通路２１との連通／遮断を切り替える。吸引ポンプ２０は、内視鏡検査中は吸引を常時行う。
【００２４】
吸引ＯＦＦ時の状態を示す図２、及び吸引ＯＮ時の状態を示す図３において、吸引ボタン１８は、大別して操作部１２に固定された弁ガイド部材（シリンダ）２４と、この弁ガイド部材２４内に収容されたプランジャ２５と、弁ガイド部材２４及びプランジャ２５を連結するキャップ２６とで構成される。なお、以下の説明では、図中上方側を先端側、図中下方側を後端側という。
【００２５】
操作部１２の筐体２８には略管状の弁ケーシング２７が固定されており、弁ガイド部材２４を操作部１２に連結する。弁ケーシング２７は、その先端部が筐体２８の外側に突出し、その後端部が筐体２８の内側に突出した状態で筐体２８に固定されている。弁ケーシング２７内には、その軸方向に長く延びた管路３１が形成されている。弁ケーシング２７の後端部には、吸引通路１７に接続する吸引接続口３２が設けられており、この吸引接続口３２を介して管路３１と吸引通路１７とが連通する。また、管路３１の先端側の開口には弁ガイド部材２４が連結される。
【００２６】
弁ガイド部材２４は、その後端部が弁ケーシング２７の先端側の開口に嵌合して連結されている。弁ガイド部材２４の先端部には、プランジャ２５の軸先端部を突出させるための第１シリンダ開口３５（図４参照）が開口している。
【００２７】
シリンダ先端の端面（以下、シリンダ端面という、図４参照）２４ａ上でかつ第１シリンダ開口３５の周縁部には、キャップ２６と連結する円筒部３７が設けられている。この円筒部３７の先端の外周面にはフランジ３８が形成されている。このフランジ３８の底面と、円筒部３７の外周面と、シリンダ端面２４ａとにより、キャップ２６が連結する略環状のシリンダ用キャップ取付溝３９（図４参照）が形成されている。
【００２８】
図４に示すように、弁ガイド部材２４内には、管路３１と同軸に延び、先端が第１シリンダ開口３５として開放されている直管状の直管管路４１と、この直管管路４１の後端に接続した管状の弁受け部４２とが形成されている。
【００２９】
弁ガイド部材２４における直管管路４１の側方に位置する部分には、負圧源通路２１に接続する接続パイプ４４が設けられている。この接続パイプ４４は、直管管路４１に対して略直交する方向に長く延びており、負圧源通路２１の一部を構成している。直管管路４１の内壁には、接続パイプ４４に通じる接続口４５が開口している。
【００３０】
弁受け部４２は、その後端が第２シリンダ開口４６として開放されている。この弁受け部４２には、第２シリンダ開口４６から第１シリンダ開口３５に向かう方向に沿って、第１錐形管路４７と第２錐形管路４８とが形成されている。第１錐形管路４７は、本発明の錐形管路に相当するものであり、第１シリンダ開口３５に向かうのに従って次第に径が狭くなる。第２錐形管路４８は、第１シリンダ開口３５に向かうに従って次第に径が広くなる形状を有しており、第１錐形管路４７の先端と直管管路４１の後端とを接続する。
【００３１】
図２と図３と図５（Ａ），（Ｂ）において、プランジャ２５は、弁ガイド部材２４にその軸方向に移動自在に収容されており、押圧操作または押圧解除により吸引通路１７と負圧源通路２１との連通／遮断を切り替える。
【００３２】
プランジャ２５は、直管管路４１内に収納され、その軸方向に長く延びた略円柱状の本体軸部５１と、本体軸部５１の軸先端部に設けられた第１錐形弁部（第１弁部）５２と、本体軸部５１の軸後端部に設けられた第２錐形弁部（第２弁部）５３と、軸先端部の第１錐形弁部５２よりも先端側に設けられた略円板形状の頭部５４とからなる。
【００３３】
本体軸部５１は、直管管路４１の内径よりも十分に細い径、例えば直管管路４１の内径の１／３以下に形成されている。第１錐形弁部５２は、第１シリンダ開口３５の略前方に位置し、この第１シリンダ開口３５から遠ざかるのに従い次第に拡径する略錐形状を有している。また、第１錐形弁部５２の最大径は、第１シリンダ開口３５（直管管路４１）の径よりも大きくなるように形成されている。なお、第１シリンダ開口３５の開口周縁部は、第１錐形弁部５２の傾斜面に沿うように切り欠かれている。
【００３４】
第２錐形弁部５３は、第１錐形管路４７よりも管路３１側に位置し、この第１錐形管路４７の内壁に沿う略錐形状を有している。この第２錐形弁部５３の最大径は、第１錐形管路４７の最小径よりも大きくなるように形成されている。
【００３５】
第１錐形弁部５２と頭部５４の間には、キャップ２６を連結するためのプランジャ用キャップ取付溝５５が形成されている。頭部５４は、吸引ＯＮ時に術者からの押圧操作を受ける。
【００３６】
プランジャ２５は、頭部５４が押圧操作されていない場合、第１錐形弁部５２が第１シリンダ開口３５から離れるとともに、第２錐形弁部５３が第１錐形管路４７の内壁に当接して第２シリンダ開口４６を塞ぐことにより、吸引通路１７と負圧源通路２１との連通を遮断する遮断状態になる。
【００３７】
また、プランジャ２５は、頭部５４に対する押圧操作により軸先端部が第１シリンダ開口３５内に所定量押し込まれたときに、第１錐形弁部５２が第１シリンダ開口３５の周縁部に当接してこの第１シリンダ開口３５を塞ぐとともに、第２錐形弁部５３が第１錐形管路４７から離れて第２シリンダ開口４６を開放することにより、吸引通路１７と負圧源通路２１とを連通する連通状態になる。なお、ここでいう所定量とは、第１錐形弁部５２が第１シリンダ開口３５の周縁部に当接してさらなる押し込みが規制されるまでの押し込み量である。
【００３８】
図２及び図３において、キャップ２６は、例えばゴムなどの弾性材料で形成されている。キャップ２６は、頭部５４に連結される略円板状の蓋部５８と、蓋部５８と頭部５４と円筒部３７を囲む略筒形状を有し、円筒部３７に連結されるスカート部５９とが一体形成されてなる。
【００３９】
図６（Ａ），（Ｂ）に示すように、蓋部５８の上面には、頭部５４が嵌合する嵌合穴６０が形成されている。この嵌合穴６０の底部の中心には、プランジャ２５が貫通する貫通穴６１が形成されている。この蓋部５８における、貫通穴６１の内壁を構成する第１環状凸部６２（図２及び図３参照）は、上述のプランジャ用キャップ取付溝５５に嵌合する。これにより、蓋部５８とプランジャ２５とが連結する。
【００４０】
スカート部５９は、その先端部が蓋部５８の外周と一体化しており、後端部にはその内側に向かって突出した第２環状凸部６３（図２及び図３参照）が設けられている。第２環状凸部６３は、シリンダ用キャップ取付溝３９に嵌合する。これにより、円筒部３７が第２環状凸部６３に嵌合した状態で連結される（図２、図３参照）。また、スカート部５９には、大気と連通する通気穴６４が形成されている。
【００４１】
図２及び図３に戻って、キャップ２６は、プランジャ２５を図中上方向に向けて付勢することで、このプランジャ２５を遮断状態で維持する。蓋部５８は、頭部５４に対する押圧操作に伴い、円筒部３７に向けて移動する。スカート部５９は、押圧操作による蓋部５８の移動に伴い、プランジャ２５の径方向に拡径するとともにその軸方向に収縮（以下、適宜弾性変形という）する。弾性変形したスカート部５９は、頭部５４に対する押圧操作が解除されたときに弾性復元力により元の形状に復元する。
【００４２】
次に、上記構成の吸引ボタン１８の作用について説明を行う。内視鏡検査時には、吸引ポンプ２０による吸引が常時行われる。吸引を行わない吸引ＯＦＦ時には、図７に示すように、キャップ２６によりプランジャ２５が遮断状態で維持されるので、第２錐形弁部５３が第１錐形管路４７の内壁に押し付けられた状態となる。第２錐形弁部５３の外周壁は第１錐形管路４７の内壁にフィットする形状であるので、第２錐形弁部５３は、第１錐形管路４７の内壁に隙間なく密着する。これにより、第２シリンダ開口４６が塞がれるため、吸引通路１７と負圧源通路２１との連通が遮断（図中、２点鎖線で表示）されて、吸引口１５からの吸引が停止した状態となる。このとき、第２錐形弁部５３及び第１錐形管路４７の円錐面同士が密着することで、プランジャ２５を直管管路４１の中心軸に調芯させることができる。
【００４３】
この際に、第１錐形弁部５２は第１シリンダ開口３５の前方（図中上方）に離れているので、第１シリンダ開口３５は開放されている。このため、負圧源通路２１が接続口４５、直管管路４１、第１シリンダ開口３５を介して通気穴６４と連通する（図中、実線で表示）。これにより、負圧源通路２１が大気と連通するため、吸引ポンプ２０に負荷がかかることが防止される。
【００４４】
吸引を行う場合には、図８に示すように、頭部５４が押圧操作されて、プランジャ２５の軸先端部が第１シリンダ開口３５内に押し込まれるとともに、キャップ２６のスカート部５９が弾性変形して、第１錐形弁部５２が第１シリンダ開口３５に嵌合する。これにより、プランジャ２５が遮断状態から連通状態に切り替わり、第２錐形弁部５３が第１錐形管路４７の内壁から第２シリンダ開口４６の前方（図中下方）に離れることで、第２シリンダ開口４６が開放される。このとき第１錐形弁部５２の円錐面が第１シリンダ開口３５に密着することで、プランジャ２５を直管管路４１の中心軸に調芯させることができる。
【００４５】
第２シリンダ開口４６が開放されたときに、第１シリンダ開口３５は第１錐形弁部５２により塞がれるので、負圧源通路２１と通気穴６４（大気）との連通は遮断される（図中２点鎖線で表示）。これにより、負圧源通路２１内及びこれに通じる各管路内の負圧吸引力が増加して、吸引口１５から各種体液や固形物（以下、吸引物という）が吸引される。吸引物は、吸引通路１７、吸引接続口３２、及び管路３１を経た後、図中の実線で示すように、第１錐形管路４７、第２錐形管路４８、及び負圧源通路２１を通って内視鏡１０の外部に排出される。
【００４６】
吸引を停止する場合には、頭部５４に対する押圧操作を解除することにより、スカート部５９の復元力によってプランジャ２５が遮断状態に切り替わるため、上述の図７で説明したように吸引口１５からの吸引が停止される。
【００４７】
以下、吸引を行う場合には押圧操作によりプランジャ２５を連通状態に切り替え、逆に吸引を停止する場合には押圧操作を解除してプランジャ２５を遮断状態に切り替える。この際に、プランジャ２５の本体軸部５１の径が直管管路４１の内径よりも十分に小さく形成（例えば直管管路４１の内径の１／３以下に形成）されているので、プランジャ２５が連通状態と遮断状態のいずれか一方から他方に切り替わる際に、本体軸部５１は直管管路４１の内壁と摺動することなく移動する。これにより、プランジャ２５と弁ガイド部材２４の管路内壁との摺動抵抗の発生を抑えることができる。その結果、押圧操作が解除されたときにキャップ２６の付勢力だけでプランジャ２５が遮断状態に戻らないといった作動不良の発生が防止される。
【００４８】
また、本体軸部５１の径を小さくすることで、直管管路４１内で吸引物の通る通路の径が大きくなるので、大きい吸引物が直管管路４１内で詰まることが防止される。なお、本体軸部５１を細径にした場合でも、プランジャ２５は、遮断状態時には第２錐形弁部５３により直管管路４１の中心軸に調芯され、連通状態時には第１錐形弁部５２により直管管路４１の中心軸に調芯されるので、遮断状態時や連通状態時にプランジャ２５のガタツキや各シリンダ開口３５，４６の閉塞不良が発生することはない。
【００４９】
上記実施形態では、弁受け部４２が弁ガイド部材２４の第２シリンダ開口４６側の端部に設けられているが、弁ガイド部材２４の直管管路４１内の任意の位置に設けられていてもよい。この場合は、接続口４５を弁受け部４２と第１シリンダ開口３５との間に位置するように設ける。
【００５０】
上記実施形態では、第１及び第２錐形弁部５２，５３がそれぞれ第１シリンダ開口３５の周縁部、第１錐形管路４７の内壁に直接当接するが、第１錐形弁部５２と第１シリンダ開口３５との間、第２錐形弁部５３と第１錐形管路４７との間にそれぞれＯリングなどの各種シール部材を装着してもよい。
【００５１】
上記実施形態では、キャップ２６のスカート部５９の弾性復元力により、プランジャ２５を遮断状態で維持しているが、例えば、蓋部６２と弁ガイド部材２４の先端面との間にコイルバネ等を装着して、このコイルバネの付勢力によりプランジャ２５を遮断状態で維持してもよい。
【００５２】
上記実施形態では、気管に挿入する内視鏡１０に設けられた吸引ボタン１８を例に挙げて説明を行ったが、例えば大腸に挿入される大腸内視鏡等の各種内視鏡に設けられている吸引ＯＮ／ＯＦＦ切替用の吸引ボタンにも本発明を適用することができる。
【符号の説明】
【００５３】
１０  内視鏡
１５  吸引口
１７  吸引通路
１８  吸引ボタン
２０  吸引ポンプ
２１  負圧源通路
２４  弁ガイド部材
２５  プランジャ
２６  キャップ
３５  第１シリンダ開口
４１  直管管路
４２  弁受け部
４５  接続口
４６  第２シリンダ開口
４７  第１錐形管路
５１  本体軸部
５２  第１錐形弁部
５３  第２錐形弁部
【図１】
2012075473.tif 000003
【図２】
2012075473.tif 000004
【図３】
2012075473.tif 000005
【図４】
2012075473.tif 000006
【図５】
2012075473.tif 000007
【図６】
2012075473.tif 000008
【図７】
2012075473.tif 000009
【図８】
2012075473.tif 000010
【図９】
2012075473.tif 000011